(57)【要約】【解決手段】一対の卓球台１とネット部材２とからなる卓球装置Ｐにおいて、一対の卓球台１の奥行ｄ１を、国際卓球連盟規格で規定されている奥行の半分より短くするとともに、所定の間隔ｄ２を置いて設置された一対の卓球台の間に、ネット部材２、２０、２０’を設置したものである。【効果】一対の卓球台の奥行を、国際卓球連盟規格で規定されている奥行の半分より短くするとともに、所定の間隔を置いて設置された一対の卓球台の間に、ネット部材を設置するように構成したので、正式な大きさを有する卓球台を用いた場合に比べて、卓球競技の楽しさが大きく削がれるようなことがなく、且つ、卓球台の収納スペースが少なくて済むとともに、卓球台の重量を軽くすることができるので、卓球台の運搬や設置が容易になる。【選択図】図１
2006204675.tif 000002
【特許請求の範囲】
【請求項１】
一対の卓球台とネット部材とからなる卓球装置において、前記一対の卓球台の奥行を、国際卓球連盟規格で規定されている奥行の半分より短くするとともに、所定の間隔を置いて設置された一対の卓球台の間に、ネット部材を設置したことを特徴とする卓球装置。
【請求項２】
上記ネット部材を、一対のネット取付けポールと、該一対のネット取付けポールに、連結リンクを介して枢着されている架橋ポールとにより構成したことを特徴とする請求項１に記載の卓球装置。
【発明の詳細な説明】
【技術分野】
【０００１】
本発明は、一対の卓球台及びネット部材からなる卓球装置に関するものである。
【背景技術】
【０００２】
従来、一対の卓球台を、一辺が当接するように配置するとともに、当接した付近に位置する卓球台に、ネットを張設するようにした卓球装置が知られている。このような従来の卓球台は大きいために、一般家庭や職場では、設置や収納が困難であり、簡単に、卓球を楽しむことができなかった。
【０００３】
卓球台の設置場所や収納場所を考慮して、卓球台の幅を、正式な卓球台の略半分の幅にした卓球装置が、一例として、特許文献１に開示されている。
【０００４】
【特許文献１】特開平０８−２０６２６７号公報
【発明の開示】
【発明が解決しようとする課題】
【０００５】
上述した幅を狭くした卓球台を使用した場合には、正式な大きさを有する卓球台を用いた場合に比べて、卓球競技の楽しさが大きく削がれるという問題がある。
【０００６】
本発明の目的は、上述した従来の卓球装置が有する課題を解決することにある。
【課題を解決するための手段】
【０００７】
本発明は、上述した目的を達成するために、一対の卓球台とネット部材とからなる卓球装置において、第１には、前記一対の卓球台の奥行を、国際卓球連盟規格で規定されている奥行の半分より短くするとともに、所定の間隔を置いて設置された一対の卓球台の間に、ネット部材を設置したものであり、第２には、ネット部材を、一対のネット取付けポールと、該一対のネット取付けポールに、連結リンクを介して枢着されている架橋ポールとにより構成したものである。
【発明の効果】
【０００８】
一対の卓球台の奥行を、国際卓球連盟規格で規定されている奥行の半分より短くするとともに、所定の間隔を置いて設置された一対の卓球台の間に、ネット部材を設置するように構成したので、正式な大きさを有する卓球台を用いた場合に比べて、卓球競技の楽しさが大きく削がれるようなことがなく、且つ、卓球台の収納スペースが少なくて済むとともに、卓球台の重量を軽くすることができるので、卓球台の運搬や設置が容易になる。
【０００９】
また、ネット部材を、一対のネット取付けポールと、該一対のネット取付けポールに、連結リンクを介して枢着されている架橋ポールとにより構成したので、ネット部材をコンパクトに畳むことができ、従って、ネット部材の持ち運びが容易になるとともに、ネット部材の収納スペースが少なくて済む。
【実施例】
【００１０】
以下に、本発明の実施例について説明するが、本発明の趣旨を越えない限り、何ら、本実施例に限定されるものではない。
【００１１】
図１において、卓球装置Ｐは、同一構成を有する２台の卓球台１とネット部材２とから構成されている。
【００１２】
卓球台１の幅（ネット部材２のネット２ａに沿った長さ）ｗ１は、国際卓球連盟規格で規定されている正式な卓球台の幅である１５２．５センチメートルと略同じ幅を有している。一方、卓球台１の奥行（ネット部材２のネット２ａに対して垂直方向の長さ）ｄ１は、国際卓球連盟規格で規定されている正式な卓球台の奥行である１３７センチメートル（国際卓球連盟規格では、２台の卓球台１の全体の奥行が、２７４センチメートルと規定されているので、その半分の１３７センチメートルとなる。）よりも、短く形成されている。
【００１３】
例えば、卓球台１の奥行ｄ１を、正式な卓球台の奥行である１３７センチメートルより１０センチメートル短くして、卓球台１の奥行ｄ１を、１２７センチメートルとする。そして、２台の卓球台１を設置する場合には、２台の卓球台１の間隔ｄ２を、２０センチメートル離して設置することにより、２台の卓球台１の全体の奥行Ｄを、正式な卓球台の奥行である２７４センチメートルとする。このように設定することにより、卓球台１の大きさは小さくなったにも係わらず、正式な卓球台と同様の卓球を楽しむことができる。
【００１４】
上述したように、２台の卓球台１を、所定の間隔ｄ２を置いて設置した場合には、従来の卓球装置のように、ネットのポールクランプを、卓球台に取り付けることができないので、本発明においては、以下に説明するようなネット部材２を、２台の卓球台１の間に設置することになる。
【００１５】
２ｂは、適当な基台２ｃに取り付けられたネット取付けポールであり、公知のネット２ａの両端の上下に設けられた紐２ｄを、一対のネット取付けポール２ｂの先端部に結びつけることにより、一対のネット取付けポール２ｂに、ネット２ａが取り付けられている。このように、基台２ｃに取着された一対のネット取付けポール２ｂと一対のネット取付けポール２ｂの先端部に取着されたネット２ａとにより、ネット部材２が構成されており、このようなネット部材２を、所定の間隔ｄ２を置いて設置された２台の卓球台１の間に位置する床等に配置する。
【００１６】
上述したように、本発明の卓球装置Ｐは、所定の間隔ｄ２を置いて設置された２台の卓球台１と、所定の間隔ｄ２を置いて設置された２台の卓球台１の間に位置する床等に設置されたネット部材２とにより構成されている。
【００１７】
上述した卓球装置Ｐを使用した卓球の競技方法は、従来の卓球装置の競技方法と同じである。また、ネット部材２のネット２ａに当たって、ネット２ａ付近に落ちた球は、２台の卓球台１間に形成された間隔ｄ２の間に落ちることになるが、正式な卓球台を用いた場合にも、ネット２ａ付近に落ちた球を拾うことは困難である場合が多いので、通常の卓球競技の楽しさが、大きく阻害するようなことはない。
【００１８】
また、上述したように、卓球台１を小さくしたので、卓球台１の収納スペースが少なくて済むとともに、卓球台１の重量を軽くすることができるので、卓球台１の運搬や設置が容易になる。
【００１９】
次に、図２〜図５を用いて、上述したネット部材２と異なる別の実施例のネット部材２０について説明する。
【００２０】
２０ａは、上述したネット取付けポール２ｂと同様の円筒状のネット取付けポールであり、ネット取付けポール２０ａの下端は、基台２０ｂに取着されている。２０ｃは、円筒状の架橋ポールであり、架橋ポール２０ｃの両端部付近とネット取付けポール２０ａの上端部付近とは、連結リンク２０ｄにより連結されている。本実施例においては、連結リンク２０ｄは、一対の帯状板２０ｄ１により構成されており、一対の帯状板２０ｄ１の一方の端部で、ネット取付けポール２０ａの上端部付近を挟持するとともに、一対の帯状板２０ｄ１の一方の端部に穿設された透孔及びネット取付けポール２０ａに穿設された透孔に、ボルトを挿通するとともに、ボルトにナットＮを螺合させることにより、ネット取付けポール２０ａと一対の帯状板２０ｄ１からなる連結リンク２０ｄとが、一対の帯状板２０ｄ１の一方の端部において枢着されている。同様に、一対の帯状板２０ｄ１のもう一方の端部で、架橋ポール２０ｃの両端部付近を挟持するとともに、一対の帯状板２０ｄ１のもう一方の端部に穿設された透孔及び架橋ポール２０ｃに穿設された透孔に、ボルトを挿通するとともに、ボルトにナットＮを螺合させることにより、架橋ポール２０ｃと一対の帯状板２０ｄ１からなる連結リンク２０ｄとが、一対の帯状板２０ｄ１のもう一方の端部において枢着されている。このように、一対のネット取付けポール２０ａと１本の架橋ポール２０ｃとが、それぞれ、一対の帯状板２０ｄ１からなる連結リンク２０ｄを介して連結されている。
【００２１】
図４に示されているように、ネット取付けポール２０ａと連結リンク２０ｄの一端とは、枢着部Ｊ１により、互いに回動可能に連結されており、また、架橋ポール２０ｃと連結リンク２０ｄの他端とは、枢着部Ｊ２により、互いに回動可能に連結されている。また、架橋ポール２０ｃの枢着部Ｊ２より先端側に位置する部分２０ｃ’の長さは、ネット取付けポール２０ａと連結リンク２０ｄの一端との枢着部Ｊ１と、架橋ポール２０ｃと連結リンク２０ｄの他端との枢着部Ｊ２との間の間隔より短く形成されており、従って、架橋ポール２０ｃの枢着部Ｊ２より先端側に位置する部分２０ｃ’は、架橋ポール２０ｃが、枢着部Ｊ２を中心に回動した際には、連結リンク２０ｄを構成する一対の帯状板２０ｄ１間を通過可能なように構成されている。
【００２２】
２０ｅは、連結リンク２０ｄの一端が枢支されている枢着部Ｊ１より上方に位置するネット取付けポール２０ａに取着された略角柱状の載置ブロックである。載置ブロック２０ｅの上面には、載置ブロック２０ｅに載置される架橋ポール２０ｃの端部の円筒状外周面に対応して、円弧状凹部２０ｅ１が形成されている。また、載置ブロック２０ｅの中心部には、円弧状凹部２０ｅ１に沿って、ネジ挿通孔２０ｅ２が穿設されており、ネジ挿通孔２０ｅ２にネジＳを挿通するとともに、ネジＳの先端部を、ネット取付けポール２０ａに穿設されたネジ孔に螺合させることにより、載置ブロック２０ｅが、ネット取付けポール２０ａに取着されている。なお、載置ブロック２０ｅのネット取付けポール２０ａとの当接側面には、架橋ポール２０ｃの円筒状外周面に対応して、円弧状凹部を形成することが好ましい。
【００２３】
一対のネット取付けポール２０ａに取着された載置ブロック２０ｅの上面に形成された円弧状凹部２０ｅ１に、１本の架橋ポール２０ｃの両端部を載置することにより、図２に示されているように、ネット取付けポール２０ａと、連結リンク２０ｄを介して、ネット取付けポール２０ａに連結された架橋ポール２０ｃとが組み立てられるように構成されている。その後、上述した実施例と同様に、ネット２ａの両端の上下に設けられた紐２ｄを、一対のネット取付けポール２０ａの先端部に結びつけることにより、一対のネット取付けポール２０ａ間に、ネット２ａを張設する。このように、一対のネット取付けポール２０ａ間に、ネット２ａを張設することにより、架橋ポール２０ｃの端面が、ネット取付けポール２０ａの外周面に押し付けられるので、架橋ポール２０ｃの両端部が、載置ブロック２０ｅの上面に形成された円弧状凹部２０ｅ１への嵌合と相まって、ネット取付けポール２０ａに取着された載置ブロック２０ｅの円弧状凹部２０ｅ１から外れるようなことが防止される。
【００２４】
ネット部材２０を、図５に示されているように、畳む際には、ネット取付けポール２０ａからネット２ａを取り外した後、或いは、ネット取付けポール２０ａからネット２ａを取り外すことなく、図２において、架橋ポール２０ｃの右側に位置する一端を、右側に位置するネット取付けポール２０ａに取着された載置ブロック２０ｅの円弧状凹部２０ｅ１から排出させた後に、架橋ポール２０ｃの左側に位置する一端を上動させると、左側に位置する連結リンク２０ｄは、枢着部Ｊ１を中心に、左側に位置するネット取付けポール２０ａに接近する方向（反時計方向）に回動するとともに、架橋ポール２０ｃは、左側に位置する連結リンク２０ｄの枢着部Ｊ２を中心に、時計方向に回動し、左側に位置するネット取付けポール２０ａと架橋ポール２０ｃとが、接近して並設されることになる。この左側に位置するネット取付けポール２０ａと架橋ポール２０ｃと並設過程において、架橋ポール２０ｃの右側に位置する他端は、下動するとともに、右側に位置するネット取付けポール２０ａが、左側に位置するネット取付けポール２０ａに接近することになる。この際、架橋ポール２０ｃの右側に位置する他端は、右側の連結リンク２０ｄを構成する一対の帯状板２０ｄ１間を通過することになる。このようにして、一対のネット取付けポール２０ａと一本の架橋ポール２０ｃとが、図５に示されているように、互いに接近し並設するように、畳まれることになり、従って、ネット部材２０をコンパクトに折り畳むことができる。
【００２５】
次に、図６〜図１９を用いて、更に別の実施例のネット部材２０’について説明する。なお、図２〜図５に示されている実施例の構成部材と実質的に同じ構成部材については、同じ符号を使用するとともに、その詳細な説明は省略する。
【００２６】
上述した実施例の一対のネット取付けポール２０ａのうちの一方のネット取付けポール２０ａには、載置ブロック２０ｅに代えて、図７及び図８に示されているように、架橋ポール保持用嵌合枠２０ｆが取り付けられている。
【００２７】
架橋ポール保持用嵌合枠２０ｆは、母線に沿って一部を切除することにより形成された開口部２０ｆ１’を有する円筒状の弾性変形可能な嵌合基部２０ｆ１を有しており、円筒状の嵌合基部２０ｆ１には、接線方向に延在する一対の相対する板状の弾性舌片２０ｆ２が形成されており、一対の相対する弾性舌片２０ｆ２の自由端部には、互いに接近する方向に延在する架橋ポール保持用嵌合突起２０ｆ３が、弾性舌片２０ｆ２に対して略垂直に突設されている。また、一対の相対する板状の弾性舌片２０ｆ２間に位置する嵌合基部２０ｆには、窓部２０ｆ４が形成されている。更に、嵌合基部２０ｆ１の下端には、対向するように、一対の突片２０ｆ５が垂設されており、突片２０ｆ５の下端には、突片２０ｆ５に対して略垂直で、且つ、互いに接近する方向に延在する嵌合突起２０ｆ５’が形成されている。円筒状の嵌合基部２０ｆの内径は、ネット取付けポール２０ａの外径と、略同じに形成されている。
【００２８】
上述した実施例における架橋ポール保持用嵌合枠２０ｆが取着された部分に位置する一方のネット取付けポール２０ａには、対向するように一対の透孔が２０ａ１が穿設されている。
【００２９】
架橋ポール保持用嵌合枠２０ｆの円筒状の嵌合基部２０ｆ１の開口部２０ｆ１’に、ネット取付けポール２０ａを対向させ、その後、開口部２０ｆ１’に、ネット取付けポール２０ａを、開口部２０ｆ１’が拡張するように、嵌合基部２０ｆ１を弾性変形させながら押し込むとともに、嵌合基部２０ｆ１の下端に垂設された突片２０ｆ５に突設された嵌合突起２０ｆ５’を、ネット取付けポール２０ａに穿設された透孔が２０ａ１に挿入することにより、一方のネット取付けポール２０ａに、架橋ポール保持用嵌合枠２０ｆが取り付けられるように構成されている。
【００３０】
上述した実施例の一対のネット取付けポール２０ａのうちのもう一方のネット取付けポール２０ａには、載置ブロック２０ｅに代えて、図９及び図１０に示されているように、架橋ポール用載置枠２０ｇが取り付けられている。
【００３１】
架橋ポール用載置枠２０ｇは、上述した架橋ポール保持用嵌合枠２０ｆの嵌合基部２０ｆ１と同様の嵌合基部２０ｇ１を有している。即ち、弾性変形可能な嵌合基部２０ｇ１にも、母線に沿って一部を切除することにより開口部２０ｇ１’が形成されている。また、開口部２０ｇ１’と反対側に位置する嵌合基部２０ｇ１には、逆Ｕ字状のスリット２０ｇ２により囲まれた載置弾性舌片２０ｇ３が形成されており、載置弾性舌片２０ｇ３の自由端部の上面２０ｇ３’は、嵌合基部２０ｇ１の外周面から、外側に突出するように構成されており、載置弾性舌片２０ｇ３の外面を、嵌合基部２０ｇ１方向に押圧した際には、載置弾性舌片２０ｇ３がスリット２０ｇ２内に収容されて、載置弾性舌片２０ｇ３の外面と嵌合基部２０ｇ１の外周面とが、略面一になるように構成されている。更に、嵌合基部２０ｇ１の下端には、対向するように、一対の突片２０ｇ４が垂設されており、突片２０ｇ４の先端には、突片２０ｇ４に対して略垂直で、且つ、互いに接近する方向に延在する嵌合突起２０ｇ４’が形成されている。円筒状の嵌合基部２０ｇの内径は、ネット取付けポール２０ａの外径と．略同じに形成されている。
【００３２】
上述した実施例における架橋ポール用載置枠２０ｇが取着された部分に位置するもう一方のネット取付けポール２０ａにも、対向するように一対の透孔が２０ａ２が穿設されている。
【００３３】
架橋ポール用載置枠２０ｇの円筒状の嵌合基部２０ｇ１の開口部２０ｇ１’に、ネット取付けポール２０ａを対向させ、その後、開口部２０ｇ１’に、ネット取付けポール２０ａを、開口部２０ｇ１’が拡張するように、嵌合基部２０ｇ１を弾性変形させながら押し込むとともに、嵌合基部２０ｇ１の下端に垂設された突片２０ｇ４に突設された嵌合突起２０ｇ４’を、ネット取付けポール２０ａに穿設された透孔が２０ａ２に挿入することにより、もう一方のネット取付けポール２０ａに、架橋ポール用載置枠２０ｇが取り付けられるように構成されている。
【００３４】
上述した実施例における円筒状の架橋ポール２０ｃは、本実施例においては、一対の半架橋ポール部２０ｃ１に２分割されており、半架橋ポール部２０ｃ１同士が当接する半架橋ポール部２０ｃ１の一端の開口部には、中心部に細孔２０ｈ１が穿設された栓２０ｈが取着されている。また、一対の半架橋ポール部２０ｃ１に取着された栓２０ｈに穿設された細孔２０ｈ１には、所定の長さの１本の連結紐２０ｉが挿通されており、連結紐２０ｉの両端部に瘤２０ｉ１を形成することにより、連結紐２０ｉが、栓２０ｈに穿設された細孔２０ｈ１から抜け出ないように構成されている。更に、図１１に示されているように、栓２０ｈが取着されていない半架橋ポール部２０ｃ１の端部の上下部を削除することにより、半架橋ポール部２０ｃ１の端部には、対向する突片２０ｃ２’からなる二股部２０ｃ２が形成されているとともに、突片２０ｃ２’の側方には、対向するように、透孔２０ｃ３が穿設されている。
【００３５】
一対の半架橋ポール部２０ｃ１には、所定の長さの円筒状の鞘筒２０ｊが嵌合可能に配設されており、鞘筒２０ｊの内径は、半架橋ポール部２０ｃ１の外径より、若干、大きく形成されている。
【００３６】
また、半架橋ポール部２０ｃ１とネット取付けポール２０ａとは、上述した実施例と同様に、連結リンク２０ｄにより連結されており、連結リンク２０ｄの構成も連結手段も、上述した実施例と同じであるので、詳細な説明は省略する。
【００３７】
図６及び図１２において、２０ｋは、一方の半架橋ポール部２０ｃ１に取着されたストップリングであり、ストップリング２０ｋは、ストップリング２０ｋに穿設されたネジ孔２０ｋ１にネジＳを挿通するとともに、ネジＳの先端部を、半架橋ポール部２０ｃ１に穿設されたネジ孔２０ｃ４に螺合させることにより、半架橋ポール部２０ｃ１に取着されている。また、半架橋ポール部２０ｃ１に嵌合されている鞘筒２０ｊを、ストップリング２０ｋ方向に移動させて、鞘筒２０ｊの一端が、ストップリング２０ｋに当接した際には、鞘筒２０ｊの中央部が、一対の半架橋ポール部２０ｃ１の当接部２０ｃ”付近に位置するように構成されている。
【００３８】
図６、図１２及び図１３において、２０ｍは、ポール把持部材であり、ポール把持部材２０ｍは、一対の弾性変形可能なＣ字状部２０ｍ１を、背中合わせにしたものである。一方のＣ字状部２０ｍ１の間隙から、Ｃ字状部２０ｍ１に、ストップリング２０ｋが取着されていない、もう一方の半架橋ポール部２０ｃ１を嵌入するとともに、Ｃ字状部２０ｍ１に穿設されたネジ孔２０ｍ１’にネジＳを挿通するとともに、ネジＳの先端部を、もう一方の半架橋ポール部２０ｃ１に穿設されたネジ孔２０ｃ５に螺合させることにより、ポール把持部材２０ｍが、もう一方の半架橋ポール部２０ｃ１に取着されている。また、半架橋ポール部２０ｃ１に嵌合されている鞘筒２０ｊを、ポール把持部材２０ｍ方向に移動させて、鞘筒２０ｊの一端が、ポール把持部材２０ｍに当接した際には、鞘筒２０ｊの他端が、一対の半架橋ポール部２０ｃ１の当接部２０ｃ”位置付近で、且つ、当接部２０ｃ”から外れた位置に位置するように構成されている。
【００３９】
次に、図１４及び図１５を用いて、ネット取付けポール２０ａが取着される別の実施例の基台２０ｎについて説明する。
【００４０】
基台２０ｎは、略角柱状に形成されており、基台２０ｎの上面２０ｎ１に、ネット取付けポール２０ａが取着されている。一対の基台２０ｎの相対する側面２０ｎ２には、互いに、係合可能な係合金具２０ｐがネジＳ等の適当な固着具により取り付けられている。
【００４１】
係合金具２０ｐは、所定の間隔を置いて配置された、縦長の長方形状の一対の端板２０ｐ１と、端板２０ｐ１の一方の垂直縁から延在する、互いに接近する方向に延在する、端板２０ｐ１と同じ高さを有する傾斜板２０ｐ２と、相対する傾斜板２０ｐ２の略下半分を連結する連結板２０ｐ３と、一方の傾斜板２０ｐ２の垂直縁から、もう一方の傾斜板２０ｐ２の垂直縁方向に延在する係合板２０ｐ４とを有しており、係合板２０ｐ４の先端ともう一方の傾斜板２０ｐ２との間には、所定の間隙２０ｐ５が形成されているとともに、係合板２０ｐ４の先端部分２０ｐ４’は、段差部２０ｐ４”を介して、連結板２０ｐ３より外側に位置している。図１４には、係合金具２０ｐの端板２０ｐ１に穿設されたネジ孔に、ネジＳを挿入するとともに、ネジＳを、基台２０ｎにねじ込むことにより、係合金具２０ｐが、一対の基台２０ｎの相対する側面２０ｎ２に取着されている例が示されている。また、一対の基台２０ｎの相対する側面２０ｎ２に取着される係合金具２０ｐは、係合金具２０ｐの自由端部が、互いに対向するように取り付けられている。
【００４２】
係合金具２０ｐが取着されている側面２０ｎ２が対向するように、一対の基台２０ｎを配置した後、一方の基台２０ｎに取着された係合金具２０ｐの係合板２０ｐ４の先端と傾斜板２０ｐ２との間に形成された間隙２０ｐ５に、もう一方の基台２０ｎに取着された係合金具２０ｐの係合板２０ｐ４を、先端部分２０ｐ４’から挿入するとともに、もう一方の基台２０ｎに取着された係合金具２０ｐの係合板２０ｐ４の先端と傾斜板２０ｐ２との間に形成された間隙２０ｐ５に、一方の基台２０ｎに取着された係合金具２０ｐの係合板２０ｐ４を、先端部分２０ｐ４’から挿入することにより、図１５に示されているように、ネット取付けポール２０ａが取着されている一対の基台２０ｎを、係合金具２０ｐを介して、連結することができるように構成されている。
【００４３】
次に、図１６及び図１７を用いて、ネット取付けポール２０ａの上端部に嵌合される紐取着部材３について説明する。
【００４４】
紐取着部材３は、ネット取付けポール２０ａの外径と略同じ外径を有する円柱状の鍔部３ａと、ネット取付けポール２０ａに嵌入可能な円柱状の嵌入部３ｂと、嵌入部３ｂより小径の円柱状の紐巻付け部３ｃとから構成されている。
【００４５】
円柱状の鍔部３ａには、直径方向に紐挿通孔３ａ１が穿設されており、また、円柱状の嵌入部３ｂの外周面には、軸線に沿って、且つ、嵌入部３ｂの全高に亘たって、紐挿通縦溝３ｂ１が形成されており、紐挿通縦溝３ｂ１は、鍔部３ａに形成されているとともに、紐挿通孔３ａ１の一端に連通している連結溝３ａ２を介して、鍔部３ａに穿設された紐挿通孔３ａ１の一端と連通している。また、円柱状の紐巻付け部３ｃには、下面から上方に延在する紐挟持スリット３ｃ１が形成されている。
【００４６】
ネット２ａの両端の上下に設けられた紐２ｄのうち、上方に位置する紐２ｄ１の一端を、鍔部３ａに穿設された紐挿通孔３ａ１に通し、次いで、鍔部３ａに形成されている連結溝３ａ２を経て、嵌入部３ｂに形成されている紐挿通縦溝３ｂ１内に挿入し、その後、紐２ｄ１を、紐巻付け部３ｃに、適当回数、巻き付け、最後に、紐２ｄ１の先端部を、紐巻付け部３ｃに形成されている紐挟持スリット３ｃ１に挿入し挟持する。なお、紐巻付け部３ｃに巻回された紐２ｄ１が、嵌入部３ｂの外周面を越えて外側に位置しないように、紐２ｄ１の太さを考慮して、紐巻付け部３ｃの外径を設定する。
【００４７】
上述したようにして、紐２ｄ１が挿通され巻き付けられている紐取着部材３を、ネット取付けポール２０ａの上端開口部２０ａ３に挿入することになるが、先ず最初に、紐巻付け部３ｃに形成されている紐挟持スリット３ｃ１に挟持されている紐２ｄ１の残余部分２ｄ１’を、上端開口部２０ａ３から、ネット取付けポール２０ａ内に挿入し、次いで、紐２ｄ１が巻回されている紐巻付け部３ｃを、上端開口部２０ａ３から、ネット取付けポール２０ａ内に挿入し、その後、嵌入部３ｂを、上端開口部２０ａ３に嵌入することにより、紐取着部材３を、ネット取付けポール２０ａの上端部に取り付ける。
【００４８】
上述したように、余分な紐２ｄ１を、紐巻付け部３ｃに巻き付けて、ネット取付けポール２０ａ内に収容するように構成したので、垂れ下がった紐２ｄ１が、競技中に邪魔になるようなこともなく、また、見てくれもよい。また、紐２ｄ１の先端部が、紐巻付け部３ｃに形成されている紐挟持スリット３ｃ１に挟持されているので、紐２ｄ１が緩んで、張設されているネット２ａが弛むようなことを防止することができる。
【００４９】
図６に示されているように、上述したネット部材２０’は、基台２０ｎを、床等に設置することにより、基台２０ｎに取着されたネット取付けポール２０ａが、所定の間隔をおいて設置されることになる。また、一対の半架橋ポール部２０ｃ１の一方の端部同士の当接部２０ｃ”に、鞘筒２０ｊを配置することにより、一対の半架橋ポール部２０ｃ１が連結されている。更に、半架橋ポール部２０ｃ１の一端に形成された二股部２０ｃ２を、一方のネット取付けポール２０ａに取着されている架橋ポール保持用嵌合枠２０ｆの窓部２０ｆ４に挿入して、上記二股部２０ｃ２に、一方のネット取付けポール２０ａを嵌合させるとともに、半架橋ポール部２０ｃ１に穿設された透孔２０ｃ３に、上記架橋ポール保持用嵌合枠２０ｆに形成されている架橋ポール保持用嵌合突起２０ｆ３を挿入することにより、一方のネット取付けポール２０ａと一方の半架橋ポール部２０ｃ１とが連結されることになる。
【００５０】
鞘筒２０ｊを介して連結されている、もう一方の半架橋ポール部２０ｃ１の二股部２０ｃ２を、もう一方のネット取付けポール２０ａに取着されている架橋ポール用載置枠２０ｇに形成されている載置弾性舌片２０ｇ３の下方に当接する。その後、架橋ポール用載置枠２０ｇに沿って、上記二股部２０ｃ２を上動させると、載置弾性舌片２０ｇ３は、二股部２０ｃ２により押圧されて、スリット２０ｇ２内に収容され、載置弾性舌片２０ｇ３の外面と嵌合基部２０ｇ１の外周面とが、略面一になる。更に、上記二股部２０ｃ２を上動させると、二股部２０ｃ２が、載置弾性舌片２０ｇ３を越えることになるが、二股部２０ｃ２が、載置弾性舌片２０ｇ３を越えた時点で、載置弾性舌片２０ｇ３が、その弾性復元力により、載置弾性舌片２０ｇ３の上面２０ｇ３’が、嵌合基部２０ｇ１の外周面から外側に突出した元の位置に戻ることになり、従って、もう一方の半架橋ポール部２０ｃ１の二股部２０ｃ２が、載置弾性舌片２０ｇ３の上面２０ｇ３’に載置されることになる。
【００５１】
上述したようにして、一対の基台２０ｎに取着されたネット取付けポール２０ａと、連結リンク２０ｄを介してネット取付けポール２０ａに連結されている一対の半架橋ポール部２０ｃ１とが組み立てられるとともに、鞘筒２０ｊを介して連結されている一方の半架橋ポール部２０ｃ１の端部が、一方のネット取付けポール２０ａに取着されている架橋ポール保持用嵌合枠２０ｆに連結され、また、もう一方の半架橋ポール部２０ｃ１の端部が、もう一方のネット取付けポール２０ａに取着されている架橋ポール用載置枠２０ｇの載置弾性舌片２０ｇ３に載置されることになる。その後、上述したように、ネット２ａの両端の上下に設けられた紐２ｄのうち、上方に位置する紐２ｄ１が挿通され巻き付けられている紐取着部材３を、ネット取付けポール２０ａの上端開口部２０ａ３に嵌入することにより、一対のネット取付けポール２０ａに、ネット２ａを張設する。
【００５２】
上述したように、一対のネット取付けポール２０ａに、ネット２ａが弛まないように張設した際には、一対のネット取付けポール２０ａの上端部は、互いに接近する方向に付勢されることになるが、ネット取付けポール２０ａと半架橋ポール部２０ｃ１とは、連結リンク２０ｄを介して、連結されているので、一対のネット取付けポール２０ａの下端部が、互いに離反する方向に移動するようなことはない。また、一対のネット取付けポール２０ａに、ネット２ａが弛まないように張設した際には、一対のネット取付けポール２０ａの上端部は、互いに接近する方向に付勢されているので、鞘筒２０ｊを介して連結されている一対の半架橋ポール部２０ｃ１の二股部２０ｃ２は、ネット取付けポール２０ａに押し付けられている状態であり、従って、一方の半架橋ポール部２０ｃ１の二股部２０ｃ２が、一方のネット取付けポール２０ａに取着されている架橋ポール用載置枠２０ｇの載置弾性舌片２０ｇ３から外れるようなことがない。
【００５３】
なお、鞘筒２０ｊを介して連結されている一対の半架橋ポール部２０ｃ１を、弾性変形可能に構成するとともに、鞘筒２０ｊを介して連結されている一対の半架橋ポール部２０ｃ１が、若干、湾曲するように、一対のネット取付けポール２０ａに、ネット２ａを強く張設することが好ましい。このように構成することにより、ネット２ａが弛むようなことを、確実に防止することができるとともに、一方の半架橋ポール部２０ｃ１の二股部２０ｃ２が、一方のネット取付けポール２０ａに取着されている架橋ポール用載置枠２０ｇの載置弾性舌片２０ｇ３から外れるようなことを、確実に防止することができる。
【００５４】
また、上述したようにして組み立てられたネット部材２０’を畳むには、先ず最初に、一方のネット取付けポール２０ａに取着されている架橋ポール用載置枠２０ｇの載置弾性舌片２０ｇ３の外面を、嵌合基部２０ｇ１方向に押圧し、載置弾性舌片２０ｇ３の外面を、嵌合基部２０ｇ１の外周面と略面一にした後、載置弾性舌片２０ｇ３の上面２０ｇ３’に載置されていた半架橋ポール部２０ｃ１の二股部２０ｃ２を、載置弾性舌片２０ｇ３の外面上及び嵌合基部２０ｇ１の外面上を、下方に滑らせて、ネット取付けポール２０ａを介して、一対の半架橋ポール部２０ｃ１の軸線方向に加わっていた、ネット２ａの張設に起因する押圧を開放させる。次に、一対の半架橋ポール部２０ｃ１を連結している鞘筒２０ｊを移動させて、鞘筒２０ｊを、一対の半架橋ポール部２０ｃ１の端部同士の当接部２０ｃ”から退避させることにより、図１８に示されているように、一対の半架橋ポール部２０ｃ１を折り畳むとともに、他の一方の半架橋ポール部２０ｃ１に穿設された透孔２０ｃ３から、一方のネット取付けポール２０ａに取着されている架橋ポール保持用嵌合枠２０ｆの架橋ポール保持用嵌合突起２０ｆ３を排出させる。
【００５５】
なお、上述したように、一対の半架橋ポール部２０ｃ１に取着された栓２０ｈに穿設された細孔２０ｈ１には、瘤２０ｉ１を有する連結紐２０ｉが挿通されており、このように、一対の半架橋ポール部２０ｃ１は、連結紐２０ｉを介して連結されているので、一対の半架橋ポール部２０ｃ１が、分離するようなことはない。従って、ネット部材２０’の組み立ての際に、半架橋ポール部２０ｃ１の端部同士を．迅速に、且つ、簡単に当接することができ、よって、一対の半架橋ポール部２０ｃ１の端部同士の当接部２０ｃ”を容易に形成することができる。
【００５６】
次いで、一方のネット取付けポール２０ａと一方の半架橋ポール部２０ｃ１とを連結している連結リンク２０ｄの枢着部Ｊ１、Ｊ２を中心に、一方の半架橋ポール部２０ｃ１を、一方のネット取付けポール２０ａに並設するように回動させるとともに、同様に、もう一方のネット取付けポール２０ａともう一方の半架橋ポール部２０ｃ１とを連結している連結リンク２０ｄの枢着部Ｊ１、Ｊ２を中心に、もう一方の半架橋ポール部２０ｃ１を、もう一方のネット取付けポール２０ａに並設するように回動させることにより、図１９に示されているように、一対のネット取付けポール２０ａと一対の半架橋ポール部２０ｃ１とが、互いに接近し並設するように畳む。この時、もう一方の半架橋ポール部２０ｃ１に取着されているポール把持部材２ｍのＣ字状部２０ｍ１に、もう一方のネット取付けポール２０ａを嵌合させることにより、もう一方の半架橋ポール部２０ｃ１ともう一方のネット取付けポール２０ａとを、ポール把持部材２ｍを介して連結するように構成されている。また、このようにして、ネット部材２０’が畳まれた際には、上述したように、ネット取付けポール２０ａが取着されている一対の基台２０ｎが、係合金具２０ｐを介して、連結されることになる。その後、適宜、ネット取付けポール２０ａに取り付けられている状態のままのネット２ａを、互いに並設されている一対のネット取付けポール２０ａと一対の半架橋ポール部２０ｃ１とに巻き付けるとともに、必要に応じて、適当なバンドにより、一対のネット取付けポール２０ａと一対の半架橋ポール部２０ｃ１を緊諦する。
【００５７】
上述したように、ネット部材２０’を、コンパクトに畳むことができるので、ネット部材２０’の持ち運びが容易になるとともに、収納スペースが少なくて済むことになる。
【００５８】
また、ネット２ａが、ネット取付けポール２０ａに取り付けられている状態のネット部材２０’を組み立てるには、上述した畳み工程の逆の工程により行うことができる。即ち、図１９に示されている並設された一対のネット取付けポール２０ａを、図１８に示されているように、離反させて、一対の半架橋ポール部２０ｃ１を一直線状の配置させるとともに、一対の半架橋ポール部２０ｃ１の端部同士を当接させるが、このように、一対の半架橋ポール部２０ｃ１の端部同士を当接させる工程において、上述したように、半架橋ポール部２０ｃ１の半架橋ポール部２０ｃ１と連結リンク２０ｄの一端との枢着部Ｊ２より先端側に位置する部分２０ｃ１’は、連結リンク２０ｄを構成する一対の帯状板２０ｄ１間を通過することになる。このようにして、一対の半架橋ポール部２０ｃ１の端部同士を当接させた後に、一対の半架橋ポール部２０ｃ１の当接部２０ｃ”に、鞘筒２０ｊを配置して、一対の半架橋ポール部２０ｃ１を、鞘筒２０ｊを介して、連結する。次いで、上述したように、半架橋ポール部２０ｃ１に穿設された透孔２０ｃ３に、上記架橋ポール保持用嵌合枠２０ｆに形成されている架橋ポール保持用嵌合突起２０ｆ３を挿入することにより、一方のネット取付けポール２０ａと一方の半架橋ポール部２０ｃ１とを連結するとともに、上述したように、もう一方の半架橋ポール部２０ｃ１の二股部２０ｃ２を、載置弾性舌片２０ｇ３の上面２０ｇ３’に載置する。このようにして、ネット部材２０’が、迅速に、且つ、容易に、組み立てられることになる。
【００５９】
また、一方の半架橋ポール部２０ｃ１には、ストップリング２０ｋが取着されているとともに、もう一方の半架橋ポール部２０ｃ１には、ポール把持部材２０ｍが取着されているので、ネット部材２０’が畳まれた状態においては、鞘筒２０ｊは、連結リンク２０ｄに当接するまで下方に落下していないので、ネット部材２０’の組み立て作業の際に、一対の半架橋ポール部２０ｃ１の当接部２０ｃ”に、容易に、且つ、迅速に、鞘筒２０ｊを配置することができる。
【００６０】
上述したように、組み立てられたネット部材２０’を畳むには、一方のネット取付けポール２０ａに取着されている架橋ポール用載置枠２０ｇの載置弾性舌片２０ｇ３の外面を、嵌合基部２０ｇ１方向に押圧し、載置弾性舌片２０ｇ３の外面を、嵌合基部２０ｇ１の外周面と略面一にした後、載置弾性舌片２０ｇ３の上面２０ｇ３’に載置されていた半架橋ポール部２０ｃ１の二股部２０ｃ２を、載置弾性舌片２０ｇ３の外面上及び嵌合基部２０ｇ１の外面上を、下方に滑らせて、ネット取付けポール２０ａを介して、一対の半架橋ポール部２０ｃ１の軸線方向に加わっていた、ネット２ａの張設に起因する押圧を開放させることになるが、この際、半架橋ポール部２０ｃ１が、アルミニウム等の金属製ポールであると、半架橋ポール部２０ｃ１の二股部２０ｃ２が、載置弾性舌片２０ｇ３の外面上及び嵌合基部２０ｇ１の外面上をスムースに滑らない場合がある。そこで、図２０に示されている実施例においては、上記の半架橋ポール部２０ｃ１を、円筒状のポール部分２０ｃ６と二股部分２０ｃ７に分けて形成したものである。そして、二股部分２０ｃ７を、低摩擦な合成樹脂で成形することにより、半架橋ポール部２０ｃ１の二股部分２０ｃ７が、載置弾性舌片２０ｇ３の外面上及び嵌合基部２０ｇ１の外面上を、スムースに滑ることができるようにしたものである。なお、二股部分２０ｃ７と反対側の部分を、ポール部分２０ｃ６の内径と略同じ外径の嵌合筒部２０ｃ７’に形成するとともに、嵌合筒部２０ｃ７’には、バネ等の付勢力により、出没自在な突起２０ｃ７”を形成することが好ましい。一方、ポール部分２０ｃ６には、突起２０ｃ７”が嵌合可能な透孔２０ｃ６’が穿設されている。そして、二股部分２０ｃ７の嵌合筒部２０ｃ７’を、出没自在な突起２０ｃ７”を、バネ等の付勢力に抗して引っ込めた状態で、ポール部分２０ｃ６に嵌合するとともに、嵌合筒部２０ｃ７’に形成された出没自在な突起２０ｃ７”とポール部分２０ｃ６に穿設された透孔２０ｃ６’とを一致させて、出没自在な突起２０ｃ７”を、バネ等の付勢力により、透孔２０ｃ６’内に進出させて、ポール部分２０ｃ６と二股部分２０ｃ７とを連結するように構成されている。
【００６１】
図２１には、上述した紐取着部材の別の実施例が示されている。
【００６２】
図２１に示されている紐取着部材３０は、上述した実施例における円柱状の鍔部３ａと同様の円柱状の鍔部３０ａと、鍔部３０ａの下面に取着された、上述した円柱状の紐巻付け部３ｃと同様の紐巻付け部３０ｃとを有しており、また、上述した実施例における円柱状の嵌入部３ｂに代えて、複数の弾性垂片３０ｂ１からなる嵌入部３０ｂを有している。複数の弾性垂片３０ｂ１は、紐巻付け部３０ｃを囲むように、且つ、全体として円筒を形成するように、鍔部３０ａの下面に垂下されており、隣接する弾性垂片３０ｂ１間には、間隙３０ｂ２が形成されているとともに、弾性垂片３０ｂ１と紐巻付け部３０ｃとの間にも、所定の間隙が形成されている。また、所定の弾性垂片３０ｂ１には、上述した実施例の紐挿通縦溝３ｂ１に相当する紐挿通縦溝３０ｂ１’が形成されているとともに、鍔部３０ａには、上述した実施例の紐挿通孔３ａ１に相当する紐挿通孔３０ａ１及び連結溝３ａ２に相当する連結溝３０ａ２が形成されている。なお、所定の弾性垂片３０ｂ１には、突起３０ｂ３が突設されているとともに、ネット取付けポール２０ａの上端開口部２０ａ３付近には、突起３０ｂ３が嵌合可能な透孔２０ａ４が穿設されている。なお、３０ｃ１は、上述した実施例の紐巻付け部３ｃに形成された紐挟持スリット３ｃ１と同様の紐挟持スリットである。
【００６３】
そして、紐取着部材３０の嵌入部３０ｂを、ネット取付けポール２０ａに嵌入した際には、嵌入部３０ｂを構成する複数の弾性垂片３０ｂ１が、ネット取付けポール２０ａの内面を押圧するとともに、所定の弾性垂片３０ｂ１には、突起３０ｂ３が突設されているとともに、嵌入部３０ｂの所定の弾性垂片３０ｂ１に突設された突起３０ｂ３が、ネット取付けポール２０ａの上端開口部２０ａ３付近に穿設された透孔２０ａ４に嵌合するように構成されているので、ネット取付けポール２０ａの上端開口部２０ａ３から、紐取着部材３０が抜け出るようなことを防止することができる。なお、紐取着部材３０へ紐２ｄの取り付けは、上述した実施例の紐取着部材３へ紐２ｄの取り付けと同じであるので、紐２ｄの取り付けの説明は省略する。
【００６４】
図２２には、上述した紐取着部材の更に別の実施例が示されている。なお、以下においては、図１６に示されている紐取着部材３との相違点のみ説明し、紐取着部材３の構成部材と同じ構成部材については、同じ符号を用いるとともに、その説明は省略する。
【００６５】
図２２に示されている紐取着部材３００においては、紐取着部材３００を構成する円柱状の嵌入部３ｂに、嵌入部３ｂの軸線に沿って、嵌入部３ｂの下面から鍔部３ａ付近まで達する垂直スリット３００ｂ１を形成することにより、嵌入部３ｂには弾性変形可能な１つの弾性垂片３００ｂ２が形成されている。また、弾性垂片３００ｂ２には、突起３００ｂ３が突設されているとともに、ネット取付けポール２０ａの上端開口部２０ａ３付近には、突起３００ｂ３が嵌合可能な透孔２０ａ４が穿設されている。
【００６６】
弾性垂片３００ｂ２を、垂直スリット３００ｂ１を狭めるように弾性変形させて、紐取着部材３００の嵌入部３ｂを、ネット取付けポール２０ａに嵌入した際には、嵌入部３ｂを構成する複数の弾性垂片３００ｂ２が、ネット取付けポール２０ａの内面を押圧するとともに、弾性垂片３００ｂ２に突設された突起３００ｂ３が、ネット取付けポール２０ａの上端開口部２０ａ３付近に穿設された透孔２０ａ４に嵌合するように構成されており、従って、ネット取付けポール２０ａの上端開口部２０ａ３から、紐取着部材３００が抜け出るようなことを防止することができる。
【００６７】
次に、図２３及び図２４を用いて、２台の卓球台１を、所定の間隔ｄ２を置いて設置する設置手段について説明する。
【００６８】
４は、間隔設定ゲージであり、間隔設定ゲージ４は、平面形状が横長な長方形状の基板４ａと、基板４ａの長手方向の中央部領域の下面に形成された、上述した間隔ｄ２と同じ長さｄ２を有するゲージ部４ｂとから構成されている。
【００６９】
２台の卓球台１を、所定の間隔ｄ２を置いて設置するには、先ず最初に、２台の卓球台１の間に、間隔設定ゲージ４のゲージ部４ｂを配置するとともに、ゲージ部４ｂの両側に位置する基板部分４ａ１を、それぞれ、２台の卓球台１の上面に載置する。その後、２台の卓球台１の間隔を狭めて、２台の卓球台１の相対する側面１ａを、ゲージ部４ｂの相対する短側面４ｂ１に当接させることにより、２台の卓球台１の間隔を、所定の間隔ｄ２に設定することができる。なお、図２４には、所定の間隔を置いて配置された２個の間隔設定ゲージ４を使用した例が示されているが、１個の間隔設定ゲージ４により、２台の卓球台１を、所定の間隔ｄ２を置いて設置することもできる。
【００７０】
上述したような間隔設定ゲージ４を使用することにより、簡単に、且つ、正確に、２台の卓球台１を、所定の間隔ｄ２を置いて設置することができる。
【００７１】
なお、間隔設定ゲージ４を構成するゲージ部４ｂの相対する長側面４ｂ２のうち、一方の長側面４ｂ２の中心部に、点線で示されているような、平面形状が略三角形状の切欠き溝からなるネット部材設置用目印４ｃを形成することが好ましい。上述したように、２台の卓球台１の相対する側面１ａを、ゲージ部４ｂの相対する短側面４ｂ１に当接させた後、２台の卓球台１の中央部に、ネット部材２、２０、２０’を設置することになるが、ゲージ部４ｂの長側面４ｂ２に形成されたネット部材設置用目印４ｃに、ネット２ａが位置するように、ネット部材２、２０、２０’を設置することにより、２台の卓球台１の中央部に、迅速に、且つ、正確に、ネット部材２、２０、２０’を設置することができる。
【００７２】
また、図２５には、別の実施例の間隔設定ゲージ４０が示されている。この実施例においては、基板４ａの長手方向の中央部領域の上面にも、間隔ｄ２と異なる長さｄ２’を有するゲージ部４０ｂが形成されている。このゲージ部４０ｂは、２台の卓球台１の間隔を、間隔ｄ２’に設定する場合に使用する。なお、本実施例の間隔設定ゲージ４０にも、点線で示されているような、上述した間隔設定ゲージ４に形成されたネット部材設置用目印４ｃと同様のネット部材設置用目印４０ｃを形成することが好ましい。
【００７３】
上述した実施例には、ネット部材設置用目印４ｃ、４０ｃを、切欠き溝により構成した例が示されているが、切欠き溝に代えて、ネット部材設置用目印４ｃ、４０ｃを、間隔設定ゲージ４、４０に、線状や帯状の着色を施すことにより構成することもできる。
【００７４】
なお、競技者の身長に応じて、或いは、ラージボールを使用する新卓球の卓球ルールの場合等においては、高さの低い卓球台１を使用する場合がある。このように、使用する卓球台１の高さに応じて、ネット部材２、２０、２０’の高さを調整可能とすることが好ましい。一例として、ネット取付けポール２ｂや、ネット取付けポール２０ａと連結リンク２０ｄの一端との枢着部Ｊ１より下方に位置するネット取付けポール２０ａを、テレスコッピック状に構成することにより、ネット部材２、２０、２０’の高さを調整することができる。
【図面の簡単な説明】
【００７５】
【図１】図１は、本発明の卓球装置の斜視図である。
【図２】図２は、本発明の卓球装置を構成する別の実施例のネット部材の斜視図である。
【図３】図３は、図２に示されているネット部材の部分拡大斜視図である。
【図４】図４は、図２に示されているネット部材の部分拡大正面図である。
【図５】図５は、図２に示されているネット部材が畳まれた状態の正面図である。
【図６】図６は、本発明の卓球装置を構成する更に別の実施例のネット部材の斜視図である。
【図７】図７は、図６に示されているネット部材の部分拡大斜視図である。
【図８】図８は、図６に示されているネット部材の部分拡大水平断面図である。
【図９】図９は、図６に示されているネット部材の部分拡大斜視図である。
【図１０】図１０は、図６に示されているネット部材の部分拡大水平断面図である。
【図１１】図１１は、図６に示されているネット部材の部分拡大斜視図である。
【図１２】図１２は、図６に示されているネット部材の部分拡大垂直断面図である。
【図１３】図１３は、図６に示されているネット部材の部分拡大垂直断面図である。
【図１４】図１４は、図６に示されているネット部材の基台等の部分拡大斜視図である。
【図１５】図１５は、同じく、図６に示されているネット部材の基台等の部分拡大斜視図である。
【図１６】図１６は、図６に示されているネット部材の紐取着部材等の斜視図である。
【図１７】図１７は、図６に示されているネット部材の紐取着部材等の正面図である。
【図１８】図１８は、図６に示されているネット部材の畳み途中の正面図である。
【図１９】図１９は、図６に示されているネット部材が畳まれた状態の正面図である。
【図２０】図２０は、本発明の卓球装置を構成する架橋ポールの別の実施例の部分拡大分解斜視図である。
【図２１】図２１は、本発明の卓球装置を構成する紐取着部材の別の実施例の斜視図である。
【図２２】図２２は、本発明の卓球装置を構成する紐取着部材の更に別の実施例の斜視図である。
【図２３】図２３は、本発明の卓球装置を設置する際に使用される間隔設定ゲージの斜視図である。
【図２４】図２４は、図２３に示されている間隔設定ゲージの使用状態を説明するための卓球台を含む斜視図である。
【図２５】図２５は、本発明の卓球装置を設置する際に使用される間隔設定ゲージの別の実施例の斜視図である。
【符号の説明】
【００７６】
Ｐ・・・・・・・・・・・・・・・・・・卓球装置
Ｊ１、Ｊ２・・・・・・・・・・・・・・枢着部
１・・・・・・・・・・・・・・・・・・卓球台
２、２０、２０’・・・・・・・・・・・ネット部材
２ａ・・・・・・・・・・・・・・・・・ネット
２ｂ、２０ａ・・・・・・・・・・・・・ネット取付けポール
２ｃ、２０ｂ、２０ｎ・・・・・・・・・基台
２０ｃ・・・・・・・・・・・・・・・・架橋ポール
２０ｄ・・・・・・・・・・・・・・・・連結リンク
２０ｅ・・・・・・・・・・・・・・・・載置ブロック
２０ｆ・・・・・・・・・・・・・・・・架橋ポール保持用嵌合枠
２０ｇ・・・・・・・・・・・・・・・・架橋ポール用載置枠
３、３０・・・・・・・・・・・・・・・紐取着部材
４、４０・・・・・・・・・・・・・・・間隔設定ゲージ
【図１】
2006204675.tif 000003
【図２】
2006204675.tif 000004
【図３】
2006204675.tif 000005
【図４】
2006204675.tif 000006
【図５】
2006204675.tif 000007
【図６】
2006204675.tif 000008
【図７】
2006204675.tif 000009
【図８】
2006204675.tif 000010
【図９】
2006204675.tif 000011
【図１０】
2006204675.tif 000012
【図１１】
2006204675.tif 000013
【図１２】
2006204675.tif 000014
【図１３】
2006204675.tif 000015
【図１４】
2006204675.tif 000016
【図１５】
2006204675.tif 000017
【図１６】
2006204675.tif 000018
【図１７】
2006204675.tif 000019
【図１８】
2006204675.tif 000020
【図１９】
2006204675.tif 000021
【図２０】
2006204675.tif 000022
【図２１】
2006204675.tif 000023
【図２２】
2006204675.tif 000024
【図２３】
2006204675.tif 000025
【図２４】
2006204675.tif 000026
【図２５】
2006204675.tif 000027